(57)【要約】【課題】  個別計数型遊技島のホール環境を改善する。【解決手段】  遊技の結果に応じて賞品を提供する遊技機７の近傍に配設された表示装置２１と、  上記遊技機７を含む画像を撮像する撮像装置５と、  上記遊技機７が提供した賞品量を表現する表現画像を格納する指令制御装置１１と、  上記遊技機７が提供した賞品量を検出する個別計数ユニット３５と、  上記個別計数ユニット３５が検出した賞品量に対応する表現画像と、撮像装置５が撮像した撮像画像とを合成する処理（図８の基本画像データ作成処理）と、  この合成した画像を表示装置２１に表示する処理（Ｓ５５０）とを備える賞品量表示装置１。【選択図】図１０
2005058669.tif 000002
【特許請求の範囲】
【請求項１】
遊技の結果に応じて賞品を提供する遊技機の近傍に配設された表示装置と、
上記遊技機を含む画像を撮像する撮像手段と、
上記遊技機が提供した賞品量を表現する表現画像を格納する表現画像格納手段と、
上記遊技機が提供した賞品量を検出する賞品量検出手段と、
上記賞品量検出手段が検出した賞品量に対応する表現画像を上記表現画像格納手段から読み込む対応画像読込手段と、
上記撮像手段が撮像した撮像画像と、上記対応画像読込手段が読み込んだ表現画像とを合成する画像合成手段と、
上記画像合成手段が合成した画像を上記表示装置に表示する合成画像表示手段と
を備える賞品量表示装置。
【請求項２】
遊技の結果に応じて賞品を提供する遊技機の近傍に配設されるとともに、画像を立体的に表示する立体画像表示領域を備えた表示装置と、
上記遊技機を含む画像を撮像する撮像手段と、
上記遊技機が提供した賞品量を立体的画像で表現する立体表現画像を格納する立体表現画像格納手段と、
上記遊技機が提供した賞品量を検出する賞品量検出手段と、
上記賞品量検出手段が検出した賞品量に対応する立体表現画像を上記立体表現画像格納手段から読み込む対応画像読込手段と、
上記撮像手段が撮像した画像を上記表示装置に表示する撮像画像表示手段と、
上記対応画像読込手段が読み込んだ立体表現画像を上記表示装置の立体画像表示領域に表示する立体画像表示手段と
を備える賞品量表示装置。
【請求項３】
上記表示装置の立体画像表示領域は、画像を立体に表示する立体画像表示構造を有することを特徴とする請求項２に記載の賞品量表示装置。
【請求項４】
上記表示装置は、上記立体画像表示領域を有する第１表示手段と、該立体画像表示領域以外の画像を表示する領域を有する第２表示手段とを備えることを特徴とする請求項２、又は請求項３に記載の賞品量表示装置。
【請求項５】
上記賞品量に対応する立体表現画像は、該賞品量の賞品が入った箱の立体表現画像であることを特徴とする請求項２ないし請求項４の何れかに記載の賞品量表示装置。
【請求項６】
上記賞品量に対応する立体表現画像は、賞品が入った箱を複数並べた立体表現画像であることを特徴とする請求項２ないし請求項５の何れかに記載の賞品量表示装置。
【請求項７】
上記賞品量に対応する立体表現画像は、箱に賞品が投入される状態の立体表現画像であることを特徴とする請求項２ないし請求項６の何れかに記載の賞品量表示装置。
【請求項８】
上記賞品量に対応する立体表現画像データは、箱から賞品が溢れる状態の立体表現画像であることを特徴とする請求項２ないし請求項７の何れかに記載の賞品量表示装置。
【請求項９】
上記賞品量を表現する立体表現画像は、相異する視点から見た立体表現画像であることを特徴とする請求項２ないし請求項８の何れかに記載の賞品量表示装置。
【請求項１０】
上記相異する視点は、距離、又は方角が相異することを特徴とする請求項９に記載の賞品量表示装置。
【請求項１１】
上記賞品量を表現する表現画像は、該賞品量の賞品が入った箱の立体画像であることを特徴とする請求項１に記載の賞品量表示装置。
【請求項１２】
上記合成画像表示手段は、複数の遊技機の画像を表示することを特徴とする請求項１、又は請求項１１に記載の賞品量表示装置。
【請求項１３】
上記合成画像表示手段は、遊技機が設置された遊技島を複数並べた画像を表示することを特徴とする請求項１、請求項１１、又は請求項１２に記載の賞品量表示装置。
【発明の詳細な説明】
【技術分野】
【０００１】
本発明は、遊技機の賞品量を表示する技術に関する。
【背景技術】
【０００２】
従来、遊技機の賞品量、例えばパチンコ遊技の持ち球量やメダル遊技の持ちメダル量は、遊技球や遊技メダルを入れる賞品箱（ドル箱とも言う）が積み重ねられることで、他の遊技者に直接表現されていた。
【０００３】
ところが、近年、遊技球を賞品箱に入れることなく、遊技機毎に計数して、持ち球量を数値で表示するだけにして、賞品箱の積み重ねを止めてしまう遊技場が見られるようになってきた。
【０００４】
この様な賞品箱の積み重ねを止めた遊技場に対して、賞品箱を積み重ねることに替える技術の提案が行われている。
例えば、賞品箱の積み重ねは、集客効果に結び付く重要な要件であるとして、賞品箱の積み重ねに替えて、賞品箱の積み重ね数を表示する技術が開示されている（特許文献１参照）。
【０００５】
又、賞品箱の積み重ねは、遊技客の優越感を満たさせ、しかも遊技場の出玉量を遊技客に知らせるサービスであるとして、賞品箱を積み重ねた状態を表現する模型によって、賞品箱の積み重ね数を表示する技術が開示されている（特許文献２参照）。
【特許文献１】特開平１４−３５３９７号公報（図１）
【特許文献２】特開平１１−１３７８２８号公報（図１）
【発明の開示】
【発明が解決しようとする課題】
【０００６】
しかしながら、従来の技術では、実際に賞品箱を積み重ねる場合に比べて、持ち球量の表現能力が劣り、集客効果の発揮機能が小さかったり、或いは遊技客の優越感の発揮機能が小さかったりすることが考えられる。
【０００７】
例えば、特許文献１の技術では、持ち球量に応じて数値が大きくなるだけであり、持ち球量が増大したことは分かるが、これが賞品箱の積み重ね量を表示しているとは直接理解することが出来ない虞がある。
【０００８】
又、特許文献２の技術では、表現できる賞品箱の積み重ね数が限定されるため、優越感を持つほど大勝ちした遊技者の優越感を充分に満たすことが出来ない虞がある。
そこで、本発明では、実際に賞品箱を積んだ場合と同様の表現機能や実際に賞品箱を積む以上の表現機能を有する賞品量表示装置の提供を可能にすることで、遊技場の顧客を多く集める集客効果と、遊技者の優越感を満足させることが出来る顧客満足度の向上効果とを揃って得ることが出来る技術の提供を目的とする。
【課題を解決するための手段】
【０００９】
上記課題を解決するための手段として、請求項１の発明の賞品量表示装置は、遊技の結果に応じて賞品を提供する遊技機の近傍に配設された表示装置と、上記遊技機を含む画像を撮像する撮像手段と、上記遊技機が提供した賞品量を表現する表現画像を格納する表現画像格納手段と、上記遊技機が提供した賞品量を検出する賞品量検出手段と、上記賞品量検出手段が検出した賞品量に対応する表現画像を上記表現画像格納手段から読み込む対応画像読込手段と、上記撮像手段が撮像した撮像画像と、上記対応画像読込手段が読み込んだ表現画像とを合成する画像合成手段と、上記画像合成手段が合成した画像を上記表示装置に表示する合成画像表示手段とを備えることを要旨とする。
【００１０】
これにより、撮像手段が遊技機を含む画像を撮像し、対応画像読込手段が、賞品量検出手段によって検出された遊技機の提供した賞品量に対応する表現画像を表現画像格納手段から読み込んで、それらの画像を画像合成手段が合成し、合成画像表示手段がその合成画像を遊技機の近傍に配設された表示装置に表示させる。
【００１１】
したがって、遊技機の撮像画像に、この遊技機の提供した賞品量に対応する表現画像を合成した画像が遊技機の近傍の表示装置に表示されることになる。
このため、実際の遊技機の近傍には、実際に賞品箱が存在しないが、表示装置に表示された遊技機の近傍には、賞品量を反映する画像、例えば賞品箱の画像が存在することになり、遊技者は、この表示装置を通して、遊技機の提供した賞品量を知って、この遊技機の稼働状態を画像として取り込むことが可能になる。つまり、数値などからイメージするよりも、画像によって、より強く賞品量を直接的に感じることが可能になる。
【００１２】
請求項２の発明の賞品量表示装置は、遊技の結果に応じて賞品を提供する遊技機の近傍に配設されるとともに、画像を立体的に表示する立体画像表示領域を備えた表示装置と、上記遊技機を含む画像を撮像する撮像手段と、上記遊技機が提供した賞品量を立体的画像で表現する立体表現画像を格納する立体表現画像格納手段と、上記遊技機が提供した賞品量を検出する賞品量検出手段と、上記賞品量検出手段が検出した賞品量に対応する立体表現画像を上記立体表現画像格納手段から読み込む対応画像読込手段と、上記撮像手段が撮像した画像を上記表示装置に表示する撮像画像表示手段と、上記対応画像読込手段が読み込んだ立体表現画像を上記表示装置の立体画像表示領域に表示する立体画像表示手段とを備えることを要旨とする。
【００１３】
これにより、撮像手段が遊技機を含む画像を撮像し、撮像画像表示手段がその撮像画像を表示装置に表示する。一方、対応画像読込手段が、賞品量検出手段によって検出された遊技機の提供した賞品量に対応する立体表現画像を立体表現画像格納手段から読み込んで、その読み込んだ立体表現画像を立体画像表示手段が、表示装置の立体画像表示領域に表示する。
【００１４】
このため、遊技機の撮像画像と、この遊技機の提供した賞品量に対応する立体表現画像とが遊技機の近傍の表示装置に表示されることになる。
従って、実際の遊技機の近傍には、実際に賞品箱が存在しないが、表示装置に表示された遊技機の近傍には、賞品量を反映する立体表現画像、例えば立体的に見える賞品箱の画像が存在することになり、遊技者は、この表示装置を通して、遊技機の提供した賞品量を知って、この遊技機の稼働状態を画像として取り込むことが可能になる。つまり、数値などからイメージするよりも画像を見ることで、より強く賞品量を感じることになる。
【００１５】
請求項３の発明の賞品量表示装置は、上記表示装置の立体画像表示領域は、画像を立体に表示する立体画像表示構造を有することを特徴とする請求項２に記載の賞品量表示装置を要旨とする。
【００１６】
これにより、撮像手段が遊技機を含む画像を撮像し、撮像画像表示手段がその撮像画像を表示装置に表示する。一方、対応画像読込手段が、賞品量検出手段によって検出された遊技機の提供した賞品量に対応する立体表現画像を立体表現画像格納手段から読み込んで、その読み込んだ立体表現画像を立体画像表示手段が、表示装置の立体画像表示領域に表示する。立体画像表示領域に表示された立体表現画像は、立体画像表示構造によって、立体的に見えるように表示される。
【００１７】
このため、遊技機の撮像画像と、この遊技機の提供した賞品量に対応する立体表現画像とが遊技機の近傍の表示装置に表示されることになる。
つまり、実際の遊技機の近傍には、実際に賞品箱が存在しないが、表示装置に表示された遊技機の近傍には、賞品量を反映する立体表現画像、例えば立体的に見える賞品箱の画像が存在することになり、遊技者は、この表示装置を通して、遊技機の提供した賞品量を知って、この遊技機の稼働状態を画像として取り込むことが可能になる。つまり、数値などからイメージするよりも、画像を見ることで、より強く賞品量を感じることになる。
【００１８】
請求項４の発明の賞品量表示装置は、上記表示装置は、上記立体画像表示領域を有する第１表示手段と、該立体画像表示領域以外の画像を表示する領域を有する第２表示手段とを備えることを特徴とする請求項２、又は請求項３に記載の賞品量表示装置を要旨とする。
【００１９】
これにより、請求項２、又は請求項３の作用に加え、表示装置を第１表示手段と、第２表示手段とに分ける構成としたことにより、通常の２Ｄ表示装置を立体表示領域を備える必要のない第２表示手段にそのまま使うことが出来る。
【００２０】
請求項５の発明の賞品量表示装置は、上記賞品量に対応する立体表現画像は、該賞品量の賞品が入った箱の立体画像であることを特徴とする請求項２ないし請求項４の何れかに記載の賞品量表示装置を要旨とする。
【００２１】
これにより、請求項２ないし請求項４の作用に加え、遊技機の提供した賞品量の賞品が入った箱の立体画像が表示される。
請求項６の発明の賞品量表示装置は、上記賞品量に対応する立体表現画像は、賞品が入った箱を複数並べた立体画像あることを特徴とする請求項２ないし請求項５の何れかに記載の賞品量表示装置を要旨とする。
【００２２】
これにより、請求項２ないし請求項５の作用に加え、遊技機の提供した賞品量の賞品が入った箱を複数並べた立体表現画像が表示される。
請求項７の発明の賞品量表示装置は、上記賞品量に対応する立体表現画像は、箱に賞品が投入される状態の立体表現画像であることを特徴とする請求項２ないし請求項６の何れかに記載の賞品量表示装置を要旨とする。
【００２３】
これにより、請求項２ないし請求項６の作用に加え、遊技機の提供した賞品量の賞品が入った箱に賞品が投入される立体表現画像が表示される。
請求項８の発明の賞品量表示装置は、上記賞品量に対応する立体表現画像は、箱から賞品が溢れる状態の立体表現画像であることを特徴とする請求項２ないし請求項７の何れかに記載の賞品量表示装置を要旨とする。
【００２４】
これにより、請求項２ないし請求項７の作用に加え、遊技機の提供した賞品量の賞品が入った箱から賞品が溢れる立体表現画像が表示される。
請求項９の発明の賞品量表示装置は、上記賞品量を立体表現する立体表現画像は、相異する視点から見た立体表現画像であることを特徴とする請求項２ないし請求項８の何れかに記載の賞品量表示装置を要旨とする
これにより、請求項２ないし請求項８の作用に加え、立体表現画像の見え方や見える範囲、角度、距離感、或いは見える部分を替えることが出来、遊技機の提供した賞品の量を様々に表現することが可能になることから、例えば、その賞品が入った箱の立体表現画像で沢山積み重ねられた賞品箱を見た遊技者に本物の賞品箱の積み重ねと殆ど変わらないかそれ以上のイメージを与えることが出来る。
【００２５】
請求項１０の発明の賞品量表示装置は、上記相異する視点は、距離、又は方角が相異することを特徴とする請求項９に記載の賞品量表示装置を要旨とする。
これにより、請求項２ないし請求項９の作用に加え、立体表現画像の見え方や見える範囲、角度、距離感を適宜選択して、遊技者に本物の賞品箱の積み重ねと殆ど変わらないか、それ以上のイメージを与えることが出来る。
【００２６】
請求項１１の発明の賞品量表示装置は、上記賞品量を表現する表現画像は、該賞品量の賞品が入った箱の立体画像であることを特徴とする請求項１に記載の賞品量表示装置を要旨とする。
【００２７】
これにより、請求項１の作用に加え、遊技機の提供した賞品量の賞品が入った箱の立体画像が表示される。
請求項１２の発明の賞品量表示装置は、上記合成画像表示手段は、複数の遊技機の画像を表示することを特徴とする請求項１、又は請求項１１に記載の賞品量表示装置を要旨とする。
【００２８】
これにより、複数の遊技機の現況を、撮像画像と、表現画像格納手段から読み込んだ表現画像とを合成した画像とにより、一箇所に表示することが出来、例えば、実際に賞品箱を積んだ遊技島の場合と同様の表現機能を有する表示が可能になる。
【００２９】
従って、その賞品が入った箱の立体画像で沢山積み重ねられた賞品箱を見た遊技者に本物の賞品箱の積み重ねと殆ど変わらないイメージを与えることが出来る。
請求項１３の発明の賞品量表示装置は、上記合成画像表示手段は、遊技機が設置された遊技島を複数並べた画像を表示することを特徴とする請求項１、請求項１１、又は請求項１２に記載の賞品量表示装置を要旨とする。
【００３０】
これにより、複数の遊技島の現況を、撮像画像と、表現画像格納手段から読み込んだ表現画像とを合成した画像とにより、一箇所に表示することが出来、例えば、実際に賞品箱を積んだ遊技島を並べたのと同様か、それ以上の表現機能を有する表示が可能になる。
【００３１】
従って、その遊技島の賞品箱を見た遊技者に本物の賞品箱の積み重ねと殆ど変わらないか、それ以上のイメージを与えることが出来る。
【発明の効果】
【００３２】
上記課題を解決するための手段により、請求項１の発明の賞品量表示装置は、実際に賞品箱や賞品箱を積んだ場合と同様の表現機能や実際に賞品箱を積む以上の表現機能を有する賞品量表示装置の提供が可能になり、遊技場の顧客を多く集める集客効果と、遊技者の優越感を満足させることが出来る顧客満足度の向上効果とを揃って得ることが出来るという極めて優れた効果を奏する。
【００３３】
請求項２の発明の賞品量表示装置は、実際に賞品箱や賞品箱を積んだ場合と同様の表現機能や実際に賞品箱を積む以上の表現機能を有する賞品量表示装置の提供が可能になり、遊技場の顧客を多く集める集客効果と、遊技者の優越感を満足させることが出来る顧客満足度の向上効果とを揃って得ることが出来るという極めて優れた効果を奏する。
【００３４】
請求項３の発明の賞品量表示装置は、実際に賞品箱や賞品箱を積んだ場合と同様の表現機能や実際に賞品箱を積む以上の表現機能を有する賞品量表示装置の提供が可能になり、遊技場の顧客を多く集める集客効果と、遊技者の優越感を満足させることが出来る顧客満足度の向上効果とを揃って得ることが出来るという極めて優れた効果を奏する。
【００３５】
しかも、立体表現画像を表示する立体画像表示領域だけ立体画像表示構造を設けても実際に賞品箱を積んだ場合と同様の表現機能や実際に賞品箱を積む以上の表現機能の提供が可能であり、表示装置の全面が立体画像表示構造の表示装置を用いる場合に比べて装置構成部品数の削減を図れ、導入コストの低減を図ることが可能になる。
【００３６】
その上、撮像画像に関しては、そのまま表示して、立体画像化を図らないのに拘わらず、実際に賞品箱を積んだ場合と同様の表現機能や実際に賞品箱を積む以上の表現機能の提供が可能であり、装置構成部品数の削減や、導入コストの低減を図ることが可能になる。
【００３７】
請求項４の発明の賞品量表示装置は、請求項２、又は請求項３の効果に加え、通常の２Ｄ表示装置を立体表示領域を備える必要のない第２表示手段にそのまま使うことが出来、装置構成部品数の削減を図れ、導入コストの低減を図ることが可能になる。
【００３８】
請求項５の発明の賞品量表示装置は、請求項２ないし請求項４の効果に加え、賞品量が多くなってもその賞品量を表現する賞品が入った箱の立体表現画像が表示されることから、実際に賞品を入れた箱（賞品箱やドル箱）を積んだ場合とほぼ同様、或いはそれ以上の効果のある表現が可能になる。
【００３９】
従って、その賞品が入った箱が沢山積み重ねられた立体表現画像による賞品箱を見た遊技者に本物の賞品箱の積み重ねと殆ど変わらない（遜色のない）イメージを与えることが出来て、遊技場の顧客を多く集める集客効果と、遊技者の優越感を満足させることが出来る顧客満足度の向上効果とを揃って得ることが出来るという極めて優れた効果を奏する。
【００４０】
請求項６の発明の賞品量表示装置は、請求項２ないし請求項５の効果に加え、賞品量が多くなってもその賞品量を表現する賞品が入った箱を複数ならべた立体表現画像が表示されることから、実際に賞品を入れた箱を積んだ場合とほぼ同様の表現機能、或いはそれ以上の効果のある表示が可能になる。
【００４１】
従って、賞品が入った賞品箱を複数並べた立体表現画像が、本物の賞品箱が存在するのと同様に表示され、その立体表現画像を見た遊技者に本物の賞品箱の積み重ねと殆ど変わらない（遜色のない）イメージを与えることが出来て、遊技場の顧客を多く集める集客効果と、遊技者の優越感を満足させることが出来る顧客満足度の向上効果とを揃って得ることが出来るという極めて優れた効果を奏する。
【００４２】
請求項７の発明の賞品量表示装置は、請求項２ないし請求項６の効果に加え、例えば、賞品量が多くなるほど、箱に賞品が投入される画像を表示する機会を増やすといった利用法が出来、実際に賞品箱を積んだ場合を越える表現機能を有する表示が可能になる。
【００４３】
従って、遊技者に本物の賞品箱の積み重ねと殆ど変わらないか、それ以上のイメージを与えることが出来て、遊技場の顧客を多く集める集客効果と、遊技者の優越感を満足させることが出来る顧客満足度の向上効果とを揃って得ることが出来るという極めて優れた効果を奏する。
【００４４】
請求項８の発明の賞品量表示装置は、請求項２ないし請求項７の効果に加え、遊技者に本物の賞品箱の積み重ねと殆ど変わらないか、それ以上のイメージを与えることが出来て、遊技場の顧客を多く集める集客効果と、遊技者の優越感を満足させることが出来る顧客満足度の向上効果とを揃って得ることが出来るとともに、例えば、賞品量が多くなる程、箱から賞品が溢れる画像を表示する機会を多くすることが出来、実際に賞品箱を積んだ場合以上の表現機能を有する表示が可能になる。
【００４５】
従って、賞品が溢れる画像を利用することで、例えば大当りの場合などで賞品が箱に入り切れずに溢れ出るイメージを与えることができ、大当りの喜びをより大きく感じるようにしたり、周囲に大当り中であることを報知して他の遊技者の興味を引くようにすることが可能であるという優れた効果を奏する。
【００４６】
請求項９の発明の賞品量表示装置は、請求項２ないし請求項８の効果に加え、立体表現画像の見え方や見える範囲、角度、距離感、或いは見える部分を替えることが出来、遊技機の提供した賞品の量を様々に表現することが可能になることから、例えば、その賞品が入った箱の立体表現画像で沢山積み重ねられた賞品箱を見た遊技者に本物の賞品箱の積み重ねと殆ど変わらないかそれ以上のイメージを与えることが出来て、遊技場の顧客を多く集める集客効果と、遊技者の優越感を満足させることが出来る顧客満足度の向上効果とを揃って得ることが出来るという極めて優れた効果を奏する。
【００４７】
請求項１０の発明の賞品量表示装置は、請求項２ないし請求項９の効果に加え、立体表現画像の見え方や見える範囲、角度、距離感を適宜選択して、遊技者に本物の賞品箱の積み重ねと殆ど変わらないか、それ以上のイメージを与えることが出来て、遊技場の顧客を多く集める集客効果と、遊技者の優越感を満足させることが出来る顧客満足度の向上効果とを揃って得ることが出来るという極めて優れた効果を奏する。
【００４８】
請求項１１の発明の賞品量表示装置は、請求項１の効果に加え、賞品量が多くなってもその賞品量を表現することが出来、例えば、実際に賞品箱を積んだ場合と同様の表現機能を有する表示が可能になる。
【００４９】
従って、その賞品が入った箱の表現画像を見た遊技者に本物の賞品箱の積み重ねと殆ど変わらないイメージを与えることが出来て、遊技場の顧客を多く集める集客効果と、遊技者の優越感を満足させることが出来る顧客満足度の向上効果とを揃って得ることが出来るという極めて優れた効果を奏する。
【００５０】
請求項１２の発明の賞品量表示装置は、複数の遊技機の現況を撮像画像と、表現画像格納手段から読み込んだ表現画像とを合成した画像とにより、一箇所に表示することが出来、例えば、実際に賞品箱を積んだ遊技島の場合と同様の表現機能を有する表示が可能になる。
【００５１】
従って、その賞品が入った箱の立体画像で沢山積み重ねられた賞品箱を見た遊技者に本物の賞品箱の積み重ねと殆ど変わらないイメージを与えることが出来て、遊技場の顧客を多く集める集客効果と、遊技者の優越感を満足させることが出来る顧客満足度の向上効果とを揃って得ることが出来るという極めて優れた効果を奏する。
【００５２】
請求項１３の発明の賞品量表示装置は、複数の遊技島の現況を撮像画像と、表現画像格納手段から読み込んだ表現画像とを合成した画像とにより、一箇所に表示することが出来、例えば、実際に賞品箱を積んだ遊技島と同様か、それ以上の表現機能を有する表示が可能になる。
【００５３】
従って、その遊技島の賞品箱を見た遊技者に本物の賞品箱の積み重ねと殆ど変わらないか、それ以上のイメージを与えることが出来て、遊技場の顧客を多く集める集客効果と、遊技者の優越感を満足させることが出来る顧客満足度の向上効果とを揃って得ることが出来るという極めて優れた効果を奏する。
【発明を実施するための最良の形態】
【００５４】
次に発明の実施の形態を説明する。
図１は、賞品量表示装置１が遊技島３に設置されている状態の説明図、図２は、賞品量表示装置１の撮像装置５の説明図、図３は、賞品量表示装置１のブロック図である。
【００５５】
賞品量表示装置１は、図３に示すように、多数の遊技機７の取り付けられた遊技島３を多数備えた遊技場９に設置されるシステムであって、情報収集・管理、や各部への指令を行う指令制御装置１１と、この指令制御装置１１を操作する操作卓１３と、指令制御装置１１にネットワーク１５を介して接続された表示ユニット１７と、撮像装置５とを備えている。
【００５６】
撮像装置５は、ビデオカメラとネットワーク機器とを主用構成とし、図１に示すように、遊技島３の天板１９に設置され、隣の遊技島３の画像をビデオカメラで撮像して、ネットワーク機器によって、ネットワーク１５を経由して、撮像信号を指令制御装置１１に送信する。指令制御装置１１は、マイクロコンピュータを主体とする情報処理コンピュータである。ネットワーク１５は、有線や無線等による情報伝送経路を有し、指令制御装置１１と、各表示ユニット１７や各撮像装置５との間で、情報の送受信を行う構成を有する。
【００５７】
指令制御装置１１にネットワーク１５を介して接続される表示ユニット１７は、図１に示すように、表示を行う表示器２１が各遊技機７の各々の上方位置で、遊技島３の上部飾り板２３（上部飾り板２３の上端部分に天板１９が設置されている。）の部分に設置される。これにより、表示ユニット１７の表示器２１が、遊技機７の上方に位置して、この遊技機７の遊技者やその他の遊技者から良く見える位置に配置されることになる。
【００５８】
又、各遊技機７の間には、台間ユニット３１が設置され、各遊技機７の下方のカウンター板３３には、個別計数ユニット３５が設置されている。これにより、個別計数ユニット３５によって計数した遊技球３７の個数は、台間ユニット３１の台間ユニット制御装置３９に入力されて、積算され、遊技者からの求めに応じて、払い戻される。尚、払い戻しは、図示しない払戻機構によって、遊技球３７が払い戻される構成と、紙や磁気メディアなどに電子データの形で格納する構成などを備える。又、台間ユニット制御装置３９は、遊技球３７の積算個数を端子板４１に出力する。
【００５９】
尚、端子板４１には、図示しない配線によって、遊技機７から出力された大当り信号と、確率変動状態信号が入力されている。
又、表示器２１の近傍には、詳細を後述する表示状態選択スイッチ２５が設置されており、表示器２１を見る遊技者が操作可能にされている。
【００６０】
図４は、表示ユニット１７のブロック図である。
表示ユニット１７は、マイクロ制御チップ２７、通信インタフェース２９、画像制御チップ３０などを備える制御装置５１と、この制御装置５１からの信号に基づいて画像表示を行う表示器２１と、制御装置５１に接続された表示状態選択スイッチ２５とを備え、台間ユニット制御装置３９の端子板４１に接続されている。
【００６１】
又、通信インタフェース２９は、ネットワーク１５を経由して、指令制御装置１１に接続されている。
この様に各表示ユニット１７の制御装置５１が接続される指令制御装置１１に画像信号を送信する撮像装置５は、図２に示すように、遊技島３の天板１９上から向かいの遊技島３の遊技機７の画像を撮像する位置に取り付けられている。ここでは、向かいの遊技機７を７台程度撮像する仕様のレンズ等を有する。撮像画像については、後述する。
【００６２】
これらにより、表示ユニット１７は、表示状態選択スイッチ２５と、台間ユニット制御装置３９の端子板４１とから入力した情報に基づき、撮像装置５が撮像した画像によって、後述するように表示器２１に画像を表示して、遊技者に本物の賞品箱の積み重ねと殆ど変わらないイメージを与えて、遊技場の顧客を多く集める集客効果と、遊技者の優越感を満足させる処理を実行する。
【００６３】
以下に、表示ユニット１７や指令制御装置１１などによって行われる処理を説明する。
図５は、指令制御装置１１によって、繰り返し実行されるデータベース構築処理ルーチンのフローチャートである。
【００６４】
先ず、所定の識別番号の制御装置５１と、台間ユニット制御装置３９の端子板４１とを介して、この制御装置５１が接続されている台間ユニット制御装置３９から遊技球３７の積算個数を入力する持球数信号入力処理を行う（Ｓ１００）。
【００６５】
Ｓ１１０による持球数信号入力を行って後、次に、遊技機毎データベースの所定の識別番号の持球数情報の更新を行う（Ｓ１１０）。
この様な処理を全ての遊技機７に接続されている制御装置５１の識別番号毎に実行する。例えば、識別番号が１ないし３００まで遊技機７がある場合には、先ず、１番の制御装置５１から持球数信号入力を入力し、遊技機毎データベースの１番のエリア４３にその情報を格納し、次いで、２番の制御装置５１から持球数信号入力を入力し、遊技機毎データベースの２番のエリア４５にその情報を格納し、・・・３００番の制御装置５１から持球数信号入力とを入力し、遊技機毎データベースの３００番のエリアにその情報を格納するを繰り返す。
【００６６】
このデータベース構築処理により、遊技場内に設置されている全ての遊技機７の持ち球の数がリアルタイムで、データベース化され、把握することが可能になる。
図６は、指令制御装置１１によって繰り返し実行されるカメラ画像データ作成処理ルーチンのフローチャートである。
【００６７】
先ず、撮像装置５から画像を入力して、ディジタルデータ化するカメラ画像入力処理を行う（Ｓ２００）。次いで、その入力した画像のディジタルデータの所定エリアを切り取って規格化する切り取り処理を行い（Ｓ２１０）、規格化した画像データを撮像装置５の識別番号用の図示しない画像メモリに格納するカメラ画像データ更新処理を実行する（Ｓ２２０）。
【００６８】
この図６の処理は、全ての撮像装置５に対して、順次実行する。
これにより、指令制御装置１１内の画像メモリに各撮像装置５から送られてきた遊技機７を含む画像データが常時更新記憶される。従って、この画像データを読み込むことで、撮像装置５によって撮像された遊技機７の近傍の現在の画像を利用することが可能になる。
【００６９】
図７は、指令制御装置１１によって繰り返し実行される持球画像データ作成処理ルーチンのフローチャートである。
先ず、Ｓ１１０の処理によって常時更新されている遊技機毎データベースから、所定の識別番号の遊技機７の持球数情報を入力する遊技機の持球数入力処理を行う（Ｓ３００）。次いで、この入力した持球数に対応する正面ドル箱画像のデータを指令制御装置１１内の図示しない画像データ格納庫から読み込んで、コンピュータグラフィック技術により、遊技球３７が入ったドル箱を正面から見た場合の画像である正面ドル箱画像を作成する処理を行い（Ｓ３１０）、次いでこの作成した正面ドル箱画像を図示しない画像メモリの所定のエリアに書き込む正面ドル箱画像データ更新処理を行う（Ｓ３２０）。ここで画像メモリの所定のエリアに書き込まれる正面ドル箱画像データは、この正面ドル箱画像データの作成の元になった持球数データを提供した遊技機７と関連付けされて記憶されている。
【００７０】
例えば、識別番号が１番の遊技機７の持球数に基づいて作成した正面ドル箱画像データは、識別番号１番の画像の読み出しで、読み出されるようにされている。
次に、Ｓ３００での入力した持球数に対応する左斜面ドル箱画像のデータを指令制御装置１１内の図示しない画像データ格納庫から読み込んで、コンピュータグラフィック技術により、遊技球３７が入ったドル箱を左斜め上から見た場合の画像である左斜面ドル箱画像を作成する処理を行い（Ｓ３３０）、次いでこの作成した左斜面ドル箱画像を図示しない画像メモリの所定のエリアに書き込む左斜面ドル箱画像データ更新処理を行う（Ｓ３４０）。
【００７１】
更に、Ｓ３００での入力した持球数に対応する右斜面ドル箱画像のデータを指令制御装置１１内の図示しない画像データ格納庫から読み込んで、コンピュータグラフィック技術により、遊技球３７が入ったドル箱を右斜め上から見た場合の画像である右斜面ドル箱画像を作成する処理を行い（Ｓ３５０）、次いでこの作成した右斜面ドル箱画像を図示しない画像メモリの所定のエリアに書き込む右斜面ドル箱画像データ更新処理を行う（Ｓ３６０）。
【００７２】
以上に説明したＳ３００〜Ｓ３６０の処理は、全ての遊技機７に対して実行される。しかしながら、ドル箱１箱分、例えば遊技球３７が２０００個に満たない場合は、正面、左斜面、右斜面ドル箱画像の作成を省略しても良い。これにより、処理時間の短縮や記憶容量の低減を図ることができる。
【００７３】
以上の図７の持球画像データ作成処理により、各遊技機７の持球量を表現する画像が作られる。
図８は指令制御装置１１によって繰り返し実行される基本画像データ作成処理ルーチンのフローチャートである。
【００７４】
先ず、Ｓ２２０の処理によって格納された画像データを画像メモリから読み込むカメラ画像データ読込処理を行い（Ｓ４００）、次いでＳ３２０の処理によって格納された正面ドル箱画像を画像メモリから読み込む正面ドル箱画像データ読込処理を行って（Ｓ４１０）、これらＳ４００とＳ４１０の処理によって読み込んだ画像データを合成した正面基本画像を画像メモリの所定エリアに格納する正面基本画像データ更新処理を行う（Ｓ４２０）。
【００７５】
これにより、後述するように、正面から見た画像を表示する場合の基本となる画像が作られる。
次いでＳ３４０の処理によって格納された左斜面ドル箱画像を画像メモリから読み込む左斜面ドル箱画像データ読込処理を行って（Ｓ４３０）、Ｓ４００とＳ４３０の処理によって読み込んだ画像データを合成した左斜面基本画像を画像メモリの所定エリアに格納する左斜面基本画像データ更新処理を行う（Ｓ４４０）。
【００７６】
これにより、後述するように、左斜面から見た画像を表示する場合の基本となる画像が作られる。
更に、Ｓ３６０の処理によって格納された右斜面ドル箱画像を画像メモリから読み込む右斜面ドル箱画像データ読込処理を行って（Ｓ４５０）、Ｓ４００とＳ４５０の処理によって読み込んだ画像データを合成した右斜面基本画像を画像メモリの所定エリアに格納する右斜面基本画像データ更新処理を行う（Ｓ４６０）。
【００７７】
これにより、後述するように、右斜面から見た画像を表示する場合の基本となる画像が作られる。
以上に説明した図８の基本画像データ作成処理により、全ての遊技機７の近傍に配置された表示器２１に表示する画像の基本となるデータが作成される。
【００７８】
次に、この作成した基本画像データを利用して、各表示器２１に画像を実際に表示させる図９に示す表示画像データ作成処理を説明する。この図９に示す表示画像データ作成処理ルーチンのフローチャートは、指令制御装置１１によって、繰り返し実行される。
【００７９】
先ず、指令制御装置１１内の図示しないスクリプトテーブルから、表示スクリプトを読み込む処理を行う（Ｓ５００）。この表示スクリプトは、図８の基本画像データ作成処理によって作成した画像データを各表示器２１に配信するときの経時的、或いは逐次規則や手順、及びその場合の表示中心と表示倍率（詳細は後述する）が書かれており、遊技者が表示器２１に表示された画像を見て、本物のドル箱の積み重ねと殆ど変わらないか、それ以上のイメージを与えることが出来て、遊技場の顧客を多く集める集客効果と、遊技者の優越感を満足させることが出来る顧客満足度の向上効果とを揃って得ることが出来るようになることを目指した内容にされている。
【００８０】
スクリクプトを読み込むと、次にその内容が正面を表示することを求めているか否か（斜面）を判断し（Ｓ５１０）、判断が正面を指示する場合には、次にスクリプトの内容から表示中心のデータと、表示の倍率のデータとを抽出する表示中心と倍率抽出処理を実行する（Ｓ５２０）。ここで抽出される表示中心と倍率とは、図８の基本画像データ作成処理によって求められる正面基本画像データに対するものであって、図１０に示すエリア６１が正面基本画像データとすると、エリア６３のような表示画像を指示するために、利用される値である。
【００８１】
従って、表示中心は、エリア６３の中心座標を示す値であり、倍率は、エリア６３の範囲を示す値である。尚、慣用されている画像処理技術であり、具体的な値を示しての説明は省略する。
【００８２】
表示中心と倍率を抽出した後（Ｓ５２０）、次にＳ４２０の処理によって更新されている正面基本画像データを読み込んで（Ｓ５３０）、更に、Ｓ５２０で抽出した表示中心と倍率に基づいて、その読み込んだ正面基本画像データから表示器２１に表示する範囲の画像を切り出す処理（慣用されている画像処理技術であり詳細な説明は省略する。）を行う（Ｓ５４０）。
【００８３】
正面表示画像を作って後、この正面表示画像のデータを表示ユニット１７に送信して、表示器２１に表示させる画像出力処理を行って（Ｓ５５０）、図９の表示画像データ作成処理を一旦終了する。これらの処理は、全ての表示ユニット１７に対して別々に実行される。
【００８４】
従って、遊技機７の近傍で、且つ上方に位置する表示器２１には、図１０に示すエリア６３の様な画像が表示される。
この様に表示器２１に表示される画像は、Ｓ５００によって読み込まれたスクリプトによって、様々な態様が選択され、表示される。
【００８５】
次に、その態様を説明する。
（１）図１０のエリア６３の中心６７に表示されている遊技機７Ａの近傍に設置されている表示器２１にエリア６３の画像を表示する。この様にすることで、表示器２１には、表示器２１の中心に遊技機７Ａが表示され、その上方にこの遊技機７Ａの出球を表現するドル箱画像６９が表示される。従って、この表示器２１を見た遊技客は、遊技機７Ａの周囲の画像中の遊技客画像７１、７３、７５を注意深く確認することなく、遊技機７Ａやドル箱画像６９が、この表示器２１の真下の遊技機７Ａのものであることを理解することが出来る。従って、大当り中や出球が多い遊技機７の近傍の表示器２１には、極めて分かりやすく、遊技者が表示器２１に表示された画像を見て、本物のドル箱の積み重ねと殆ど変わらないか、それ以上のイメージを与えることが出来て、遊技場の顧客を多く集める集客効果と、遊技者の優越感を満足させることが出来る顧客満足度の向上効果とを揃って得ることが出来る効果を奏する。
【００８６】
（２）図１０のエリア６３の中心６７に表示されている遊技機７Ａの隣か、その隣の遊技機７Ｂの近傍に設置されている表示器２１にエリア６３の画像を表示する。この様にすることで、表示器２１には、表示器２１の中心に遊技機７Ｂの画像が表示されることがなくなるが、例えば持球の多い遊技機７Ａの画像を表示することが出来る。従って、この表示器２１を見た遊技客は、この遊技機７Ｂの持球が多いとの誤認を抱くかもしれないが、表示器２１の画像中の遊技客画像７１、７３、７５を注意深く確認することで実際の持ち球の状況を理解することが出来る。この様にすることで、持球の多い遊技機７をメインに表示することが出来、華やかさが向上されると共に、持球の多い遊技機７を知りたいと思う遊技者心理にマッチする。従って、遊技者が表示器２１に表示された画像を見て、本物のドル箱の積み重ねと殆ど変わらないか、それ以上のイメージを与えることが出来るとともに、遊技者の欲求に良く整合し、遊技場の顧客を多く集める集客効果と、遊技者の優越感を満足させることが出来る顧客満足度の向上効果とを揃って得ることが出来る効果を奏する。
（３）上記（１）（２）を交互に行う。この様にすることで表示器２１の表現の幅が広がる。
（４）表示器２１の中心をこの表示器２１の真下の遊技機７から左右３台の遊技機７の範囲内で最も持球の多い遊技機７の画像にする。これにより、華やかさの向上と、遊技者の好奇心を満たすことが出来る。
（５）図１０に示すように、エリア６３の範囲をほぼ遊技機７Ａ、１台だけにする。持球数が多い遊技機７や大当り中や確変中の表示に良い。
【００８７】
又、大当り中や確変中等の遊技者にとって有利な状態になっている場合に、ドル箱画像６９に遊技球３７が降り注ぐ画像（図示せず）を付加したり、ドル箱画像６９に遊技球３７が溢れ落ちる画像（図示せず）を付加しても良い。この様に実際の遊技場９にはあり得ないような画像を付加することで、表示器２１による演出効果が向上される。
（６）エリア６３を矢印ＹＡ方向に拡大、或いはズームして、エリア６３の表示範囲を広範囲にする。遊技者が多く混雑している場合の表示に向き、華やかさが向上される。
【００８８】
次に、図９のＳ５１０の正面表示かの判断で、正面ではないと判断された場合の処理を説明する。ここでは、図１１に示すような左斜面表示８１、右斜面表示８３を行うものである。
【００８９】
先ず、図８のＳ４４０で更新した左斜面基本画像データを読み込む左斜面基本画像データ読込処理（Ｓ５６０）、エリア６３のような長方形の画像を図１１の画像８５と、画像８７とからなるエリア８９の様に、左上方から見た左斜面画像に変形する左斜面基本画像変形処理（Ｓ５７０）、エリア８９のように作った画像を左斜面表示８１のように繋ぎ合わせる左斜面表示画像合成（Ｓ５８０）、合成した左斜面表示画像を遊技島３の一方の面３Ａ（図２参照）の全表示器２１に出力する左斜面画像出力（Ｓ５９０）、Ｓ４６０で更新した右斜面基本画像データを読み込む右斜面基本画像データ読込処理（Ｓ６００）、読み込んだ画像を右上方から見た画像に変形する右斜面基本画像変形処理（Ｓ６１０）、変形後の画像を繋ぎ合わせる右斜面表示画像合成（Ｓ６２０）、合成後の右斜面表示画像を遊技島３の他方の面３Ｂ（図２参照）の全表示器２１に出力する右斜面画像出力（Ｓ６３０）を行う。遊技島３の面３Ａ、３Ｂは、図３に示すように、遊技島３間を矢印ＹＢ方向から見て、左側が面３Ａとし、右側が面３Ｂとする。
【００９０】
この様に、表示器２１に図１１に示したような左右斜面の画像を表示することで、遊技島３の全遊技機７の出球の状態を一覧することや、遊技者の着席状態を一覧することが可能になって、遊技意欲を高めたり、顧客満足度の向上を図ることが可能になる。例えば、出球が多い状態を見ることで、遊技意欲が高められる。又、出球が多い遊技機の配置の特徴を推測する楽しみを提供することが出来、顧客満足度の向上を図ることができる。或いは、好みの空き遊技機７が直ぐ分かる様になり、遊技者に遊技をさせる切っ掛けを与えることが出来て、遊技島３の稼働率が向上される。
【００９１】
しかも、遊技島３内の遊技者や遊技機７の状態が非常に多くの表示器２１に表示され、非常に多く遊技者によって見られることになることから、ゴト行為などの抑止効果が見込まれる。
【００９２】
次に、賞品量表示装置１の変形例を説明する。
図１２は、表示器２１に替えて用いられる合成表示器９４の説明図である。
この合成表示器９４は、立体視構造付３Ｄ表示器９１と、２Ｄ表示器９３とが、境界部９７で接続されており、立体視構造付３Ｄ表示器９１は、ハニカム構造のレンズやピンホールアレイ等を用いて、多視点化することにより３Ｄ立体視表示を可能にする構成を有する。又、この立体視構造付３Ｄ表示器９１は、この立体視構造付３Ｄ表示器９１用の多視点画像データの供給を受け、或いは擬似的に生成して、３Ｄ表示を行う。尚、慣用技術であり、詳細な説明は省略する。
【００９３】
２Ｄ表示器９３は、通常用いられているディスプレイである。
この構成で、立体視構造付３Ｄ表示器９１には、持球数を反映するコンピュータグラフィック画像を表示し、２Ｄ表示器９３には、ビデオカメラの撮像画像を表示する。例えば、図１０に示したドル箱画像６９に相当する図１２に示すドル箱画像９５や説明画像１０１を立体視構造付３Ｄ表示器９１に表示し、図１０の遊技客画像７１、７３、７５等に相当する図１２に示す遊技客画像９９や遊技機７の画像等の撮像画像は、２Ｄ表示器９３に表示する。これにより、ドル箱画像９５等の遊技機７の出球量を反映した画像は、立体的に表示され、現実にドル箱を置いたのと同様のイメージを遊技者に与えることが可能になる。
【００９４】
しかも、ドル箱画像９５以外の撮像画像を表示するエリアは、構造が単純で、低コストな２Ｄ表示器９３であるため、設備費の低減を図ることが可能になる。
従って、遊技者に現実にドル箱を置いたのと同様のイメージを提供して、実際にドル箱を積んだ場合と同様の表現機能や実際にドル箱を積む以上の表現機能を有する賞品量表示装置の提供を可能にすることで、遊技場の顧客を多く集める集客効果と、遊技者の優越感を満足させることが出来る顧客満足度の向上効果とを揃って得ることと、導入コストの低減を図ることができることとを備えた極めて優れた効果を奏する。
【００９５】
以上に説明した賞品量表示装置１は、実際にドル箱を積んだ場合と同様の表現機能や実際にドル箱を積む以上の表現機能を有する構成の提供が可能になり、遊技場の顧客を多く集める集客効果と、遊技者の優越感を満足させることが出来る顧客満足度の向上効果とを揃って得ることが出来るという極めて優れた効果を奏する。
【００９６】
しかも、立体表現画像を表示する立体画像表示領域だけ立体画像表示構造を設けても実際に賞品箱を積んだ場合と同様の表現機能や実際にドル箱を積む以上の表現機能の提供が可能であり、表示装置の全面が立体画像表示構造の表示装置を用いる場合に比べて装置構成部品数の削減を図れ、導入コストの低減を図ることが可能になる。
【００９７】
その上、撮像画像に関しては、そのまま表示して、立体画像化を図らないのに拘わらず、実際に賞品箱を積んだ場合と同様の表現機能や実際にドル箱を積む以上の表現機能の提供が可能であり、装置構成部品数の削減や、導入コストの低減を図ることが可能になる。
【００９８】
賞品が溢れる画像を利用することで、例えば大当りの場合などで賞品が箱に入り切れずに溢れ出るイメージを与えることができ、大当りの喜びをより大きく感じるようにしたり、周囲に大当り中であることを報知して他の遊技者の興味を引くようにすることが可能であるという優れた効果を奏する。
【００９９】
その賞品が入った箱の立体表現画像で沢山積み重ねられたドル箱やドル箱を見た遊技者に本物のドル箱やドル箱の積み重ねと殆ど変わらないかそれ以上のイメージを与えることが出来て、遊技場の顧客を多く集める集客効果と、遊技者の優越感を満足させることが出来る顧客満足度の向上効果とを揃って得ることが出来るという極めて優れた効果を奏する。
【０１００】
次に特許請求の範囲の構成と、発明の実施の形態との対応を説明する。
請求項１の遊技機は、遊技機７、７Ａ、７Ｂ、表示装置は、表示器２１、合成表示器９４、撮像手段は、撮像装置５、表現画像格納手段は、指令制御装置１１が備えるデータベース、賞品量検出手段は、指令制御装置１１が制御装置５１と、端子板４１とを介して、台間ユニット制御装置３９から個別計数ユニット３５によって計数した遊技球３７の積算個数を入力する構成が対応する。
【０１０１】
対応画像読込手段は、Ｓ３１０、Ｓ３３０、Ｓ３５０の処理が対応する。
画像合成手段は、Ｓ４２０、Ｓ４４０、Ｓ４６０の処理が対応する。
合成画像表示手段は、Ｓ５５０、Ｓ５９０、Ｓ６３０の処理が対応する。
【０１０２】
以下、共通の構成は、記載を省略する。
請求項２の立体画像表示領域は、図１０のドル箱画像６９が表示されている立体画像表示エリア６４（２点鎖線で示す）や、立体視構造付３Ｄ表示器９１が対応する。
【０１０３】
撮像手段は、撮像装置５、立体表現画像格納手段は、指令制御装置１１が備えるデータベース、賞品量検出手段は、指令制御装置１１が制御装置５１と、端子板４１とを介して、台間ユニット制御装置３９から個別計数ユニット３５によって計数した遊技球３７の積算個数を入力する構成が対応する。
【０１０４】
撮像画像表示手段と、立体画像表示手段とは、指令制御装置１１が備える機能である。
請求項３の立体画像表示構造は、立体視構造付３Ｄ表示器９１の説明内容が対応する。
請求項４の第１表示手段は、立体視構造付３Ｄ表示器９１、第２表示手段は、２Ｄ表示器９３が対応する。
【０１０５】
請求項５の賞品量の賞品が入った箱の立体表現画像は、ドル箱画像６９、９５が対応する。
請求項６の賞品が入った箱を複数並べた立体表現画像は、ドル箱画像６９の様に縦に積み重ねたり、横に並べた態様が対応する。
【０１０６】
請求項７の箱に賞品が投入される状態の立体表現画像は、ドル箱画像６９、９５に遊技球３７が投入される態様が対応する。
請求項８の箱から賞品が溢れる状態の立体表現画像は、ドル箱画像６９、９５から遊技球３７が溢れる態様が対応する。
【０１０７】
請求項９の相異する視点から見た立体表現画像は、Ｓ５２０の処理によって、表示中心と倍率が相異した値になった場合に、表現される画像の態様が対応する。
請求項１０の距離、又は方角が相異するは、Ｓ５２０の処理によって、表示中心と倍率が相異した値になることが対応する。
【０１０８】
請求項１１の賞品量の賞品が入った箱の立体画像は、ドル箱画像６９が対応する。
請求項１２の複数の遊技機の画像を表示するは、図１０や図１１に示す態様が対応する。
【０１０９】
請求項１３の遊技機が設置された遊技島を複数並べた画像は、図１１の態様が対応する。
【図面の簡単な説明】
【０１１０】
【図１】賞品量表示装置１が遊技島３に設置されている状態の説明図である。
【図２】賞品量表示装置１の撮像装置５の説明図である。
【図３】賞品量表示装置１のブロック図である。
【図４】表示ユニット１７のブロック図である。
【図５】指令制御装置１１によって、繰り返し実行されるデータベース構築処理ルーチンのフローチャートである。
【図６】指令制御装置１１によって繰り返し実行されるカメラ画像データ作成処理ルーチンのフローチャートである。
【図７】指令制御装置１１によって繰り返し実行される持球画像データ作成処理ルーチンのフローチャートである。
【図８】基本画像データ作成処理ルーチンのフローチャートである。
【図９】表示画像データ作成処理ルーチンのフローチャートである。
【図１０】エリア６３の説明図である。
【図１１】左斜面表示８１、右斜面表示８３の説明図である。
【図１２】表示器２１に替えて用いられる立体視構造付３Ｄ表示器９１、２Ｄ表示器９３の説明図である。
【符号の説明】
【０１１１】
１・・・賞品量表示装置、３・・・遊技島、３Ａ、３Ｂ・・・面、
５・・・撮像装置、７・・・遊技機、９・・・遊技場、
１１・・・指令制御装置、１３・・・操作卓、１５・・・ネットワーク、
１７・・・表示ユニット、１９・・・天板、２１・・・表示器、
２３・・・上部飾り板、２５・・・表示状態選択スイッチ、
２７・・・マイクロ制御チップ、２９・・・通信インタフェース、
３０・・・画像制御チップ、３１・・・台間ユニット、
３３・・・カウンター板、３５・・・個別計数ユニット、３７・・・遊技球、
３９・・・台間ユニット制御装置、４１・・・端子板、
４３、４５、６１、６３、８９・・・エリア、５１・・・制御装置、
６４・・・立体画像表示エリア、６７・・・中心、６９・・・ドル箱画像、
７１・・・遊技客画像、８１・・・左斜面表示、８３・・・右斜面表示、
８５、８７・・・画像、９１・・・立体視構造付３Ｄ表示器、
９３・・・２Ｄ表示器、９４・・・合成表示器、９５・・・ドル箱画像、
９７・・・境界部、９９・・・遊技客画像、１０１・・・説明画像
【図１】
2005058669.tif 000003
【図２】
2005058669.tif 000004
【図３】
2005058669.tif 000005
【図４】
2005058669.tif 000006
【図５】
2005058669.tif 000007
【図６】
2005058669.tif 000008
【図７】
2005058669.tif 000009
【図８】
2005058669.tif 000010
【図９】
2005058669.tif 000011
【図１０】
2005058669.tif 000012
【図１１】
2005058669.tif 000013
【図１２】
2005058669.tif 000014